(57)【要約】【課題】ボタンの照光面をムラなく均一に照光するとともにスポット照光を改善することができる照光式押ボタンスイッチを提供する。【解決手段】スイッチ本体４内に配設した発光素子４ａと、この発光素子４ａの投光により照光される照光面１ａを有するボタン１を前記発光素子４ａから一定距離隔てて配設し、前記ボタン１の底部に、前記発光素子４ａ側に凹面部２ａが形成される凹レンズ２を配置し、この凹レンズ２の下方に枠体の内側面から中央部に向かって傾斜面３ａが形成されるとともに中央部に貫通孔３ｂが形成されるプランジャ３を配置し、前記凹レンズ２の凹面部２ａで前記発光素子４ａからの投光を屈折させるとともに、前記プランジャ３の傾斜面３ａで前記発光素子４ａからの投光および前記凹面部２ａでの屈折光を反射させる。【選択図】図４
2012248488.tif 000002
【特許請求の範囲】
【請求項１】
スイッチ本体内に配設した発光素子と、該発光素子の投光により照光される照光面を有するボタンを前記発光素子から一定距離隔てて配設し、前記ボタンの底部に前記発光素子側に凹面部が形成される凹レンズを配置し、該凹レンズの下方に枠体の内側面から中央部に向かって傾斜面が形成されるとともに中央部に貫通孔が形成されるプランジャを配置し、前記凹レンズの凹面部で前記発光素子からの投光を屈折させるとともに、前記プランジャの傾斜面で前記発光素子からの投光および前記凹面部での屈折光を反射させ、前記ボタンの照光面にムラなく均一に照光するようにしたことを特徴とする照光式押ボタンスイッチ。
【請求項２】
請求項１記載の照光式押ボタンスイッチにおいて、前記プランジャを光高反射グレードで形成したことを特徴とする照光式押ボタンスイッチ。
【請求項３】
請求項１記載の照光式押ボタンスイッチにおいて、前記ボタンと前記凹レンズの上面部との間にフィルタを配置したことを特徴とする照光式押ボタンスイッチ。
【発明の詳細な説明】
【技術分野】
【０００１】
本発明は、照光式押ボタンスイッチに関するものである。
【背景技術】
【０００２】
従来、照光式押ボタンスイッチとしては、発光素子の真上に位置する部分を厚く形成し、端部に向かって徐々に薄く形成された四角錐形状のレンズを反転させてボタンの底部に配置し、角形状のボタンの照光面を均一に照光させるもの（下記非特許文献１参照）があった。
【０００３】
また、ボタンと発光素子の間に第１フィルタと第２フィルタを配設して二階建構造とすることで、照光面を均一にムラなく照光させる照光式スイッチ（下記特許文献１参照）や、ゴムスイッチ下面の受光部を凹面状に形成することにより光源より発せられた光束をキートップ部の天面全体に均一に拡散照光させる照光式スイッチ（下記特許文献２参照）や、透光性押釦部の底面部の光源に対応した位置に凹陥部が設けられ、凹陥部は内側壁面と内天壁面とを有し、内側壁面には遮光層が設けられ、内天壁面を介して押釦天面部全体を均一に照光させる照光式押釦スイッチ用カバー部材（下記特許文献３参照）などがあった。
【先行技術文献】
【特許文献】
【０００４】
【特許文献１】特開２０００−２３１８５１号
【特許文献２】特開平９−３０６２７７号
【特許文献３】特開２００７−０８０７６３号
【非特許文献】
【０００５】
【非特許文献１】日本開閉器工業株式会社「２０１１総合カタログ」照光式押ボタンスイッチＵＢシリーズ
【発明の概要】
【発明が解決しようとする課題】
【０００６】
しかしながら、上記した非特許文献１の照光式押ボタンスイッチは、発光素子真上の輝度の高い部分の輝度をレンズの厚みによって抑え、ボタン端部近傍の低い輝度に合わせるため、発光素子本来の輝度よりも暗くなるといった問題があった。また、上記特許文献１の照光式スイッチは、第２フィルタの拡散によってボタン照光面の照光範囲が決まるので、ボタンサイズが大きくなる場合や発光素子と第２フィルタとの距離が近い場合には、より広範囲に光を拡散させるために第２フィルタの拡散材の混合率を高くする必要があり、拡散材の混合率を高くすると輝度の低下を招くといった問題があった。また、ボタン押下時に光が中央部付近に集中するスポット照光が生じやすいといった問題があった。さらに、上記特許文献２の照光式スイッチおよび特許文献３の照光式押釦スイッチ用カバー部材は、凹面部で屈折された光が照光面よりも側方に逃げてしまうため、隣接するボタンへの干渉が懸念され、干渉を抑えるために屈折光を照光面のみに集める凹面部の形状を設計する必要があるといった問題があった。
【０００７】
そこで本発明は、上記状況に鑑みて、ボタンの照光面をムラなく均一に照光するとともにスポット照光を改善することができる照光式押ボタンスイッチを提供することを目的とする。
【課題を解決するための手段】
【０００８】
本発明は、上記目的を達成するために、
〔１〕スイッチ本体（４）内に配設した発光素子（４ａ）と、この発光素子（４ａ）の投光により照光される照光面（１ａ）を有するボタン（１）を前記発光素子（４ａ）から一定距離隔てて配設し、前記ボタン（１）の底部に、前記発光素子（４ａ）側に凹面部（２ａ）が形成される凹レンズ（２）を配置し、この凹レンズ（２）の下方に枠体の内側面から中央部に向かって傾斜面（３ａ）が形成されるとともに中央部に貫通孔（３ｂ）が形成されるプランジャ（３）を配置し、前記凹レンズ（２）の凹面部（２ａ）で前記発光素子（４ａ）からの投光を屈折させるとともに、前記プランジャ（３）の傾斜面（３ａ）で前記発光素子（４ａ）からの投光および前記凹面部（２ａ）での屈折光を反射させ、前記ボタン（１）の照光面（１ａ）にムラなく均一に照光するようにしたことを特徴とする。
〔２〕上記〔１〕記載の照光式押ボタンスイッチにおいて、前記プランジャ（３）を光高反射グレードで形成したことを特徴とする。
〔３〕上記〔１〕記載の照光式押ボタンスイッチにおいて、前記ボタン（１）と前記凹レンズ（２）の上面部との間にフィルタを配置したことを特徴とする。
【発明の効果】
【０００９】
本発明によれば、次のような効果を奏することができる。
（１）ボタンの照光面をムラなく均一に照光するとともにスポット照光の改善を図ることができる。
（２）発光素子の輝度を損なうことなくボタンの照光面を照光することができる。
（３）従来の照光式押ボタンスイッチにも容易に展開することができる。
（４）プランジャを光高反射グレードで形成することで、より効率良く照光することができる。
（５）ボタンと凹レンズの間にフィルタを配置することで、より広範囲に照光することができる。
【図面の簡単な説明】
【００１０】
【図１】本発明の実施例を表す照光式押ボタンスイッチの斜視図である。
【図２】本発明の実施例を表す照光式押ボタンスイッチの分解斜視図である。
【図３】本発明の実施例を表す照光式押ボタンスイッチの平面図である。
【図４】本発明の実施例を表す照光式押ボタンスイッチの要部断面図である。
【図５】本発明の実施例を表す照光式押ボタンスイッチのボタン動作時の照光範囲を示す要部断面図である。
【発明を実施するための形態】
【００１１】
本発明の照光式押ボタンスイッチは、スイッチ本体内に配設した発光素子と、この発光素子の投光により照光される照光面を有するボタンを前記発光素子から一定距離隔てて配設し、前記ボタンの底部に前記発光素子側に凹面部が形成される凹レンズを配置し、この凹レンズの下方に枠体の内側面から中央部に向かって傾斜面が形成されるとともに中央部に貫通孔が形成されるプランジャを配置し、前記凹レンズの凹面部で前記発光素子からの投光を屈折させるとともに、前記プランジャの傾斜面で前記発光素子からの投光および前記凹面部での屈折光を反射させ、前記ボタンの照光面にムラなく均一に照光する。
【実施例】
【００１２】
以下、本発明の実施例について、図面を参照しながら詳細に説明する。
【００１３】
図１は本発明の実施例を表す照光式押ボタンスイッチの斜視図、図２は本発明の実施例を表す照光式押ボタンスイッチの分解斜視図、図３は本発明の実施例を表す照光式押ボタンスイッチの平面図であり、図３（ａ）は本発明の照光式押ボタンスイッチの照光範囲を、図３（ｂ）は凹レンズを配置しない場合の照光範囲を示している。図４は本発明の実施例を表す照光式押ボタンスイッチの要部断面図であり、図４（ａ）は図３におけるＡ−Ａ要部断面図を、図４（ｂ）は図３におけるＢ−Ｂ要部断面図を示している。図５は本発明の実施例を表す照光式押ボタンスイッチのボタン動作時の照光範囲を示す要部断面図であり、図５（ａ）は通常時（ボタンを操作していないとき）を、図５（ｂ）はボタン押下時を示している。
【００１４】
これらの図において、１はボタン、２は凹レンズ、３はプランジャ、４はスイッチ本体、５はスペーサ、６は丸ナットである。ボタン１は、角形状の照光面１ａを有し、照光面１ａの４辺から垂下する側面が形成され、対向する１対の側面に嵌合孔１ｂが形成されている。凹レンズ２は、角形状の天板の裏面に凹面部２ａが形成されている。プランジャ３は、角形状の枠体の内側面から中央部に向かってすり鉢状の傾斜面３ａが形成され、中央部に貫通孔３ｂが形成され、枠体の対向する１対の外側面に嵌合孔１ｂと嵌合する嵌合凸部３ｃが形成され、貫通孔３ｂの下方に垂下する１対の嵌合爪３ｄが形成されている。スイッチ本体４は、内部に発光素子４ａと接触機構部（図示なし）が配設され、上部に鍔部４ｂが形成されている。
【００１５】
ボタン１底部に凹レンズ２が配置され、ボタン１の嵌合孔１ｂにプランジャ３の嵌合凸部３ｃが嵌合される。このとき、凹レンズ２の凹面部２ａはプランジャ３側に配置され、ボタン１とプランジャ３の嵌合によって凹レンズ２が挟持される。そして、プランジャ３の嵌合爪３ｄをスイッチ本体４の嵌合部（図示なし）に嵌合し、スペーサ５をスイッチ本体４の下方から配設し、丸ナット６をスイッチ本体４に螺合することで、照光式押ボタンスイッチが完成される。スイッチ本体４は、鍔部４ｂとスペーサ５とでパネル（図示なし）を挟持することでパネルに固定される。
【００１６】
以上のように構成された本発明の照光式押ボタンスイッチは、発光素子４ａからの光が直接またはプランジャ３の傾斜面３ａによって反射されて凹レンズ２の凹面部２ａに投光され、凹面部２ａで屈折された光はボタン１の照光面１ａに投光される。また、照光面１ａよりも外側に屈折された光はプランジャ３の傾斜面３ａによって反射されて照光面１ａに投光される。よって、発光素子４ａからの光は照光面１ａのほぼ全域に投光されるため、ムラなく均一な照光ができる。また、図３および図５に示すように、ボタン１押下時にも凹面部２ａでの屈折により広範囲を照光することができるため、スポット照光を改善することができる。
【００１７】
また、プランジャ３を光高反射グレードで形成することで、発光素子４ａからの投光がプランジャ３を透過することなく反射できるため、より効率のよい照光ができる。さらに、図示していないが、ボタン１と凹レンズ２の間にフィルタを配置すると、光を拡散することができるため、より広範囲に照光できる。
【００１８】
このように、本実施例に照光式押ボタンスイッチは、照光面１ａをムラなく均一に照光できるとともに、スポット照光が改善できるという特徴を有している。
【００１９】
本実施例では、ボタンを角形状としているが、丸形状などとしてもよく、種々の形状とすることができる。
【００２０】
なお、本発明は上記の実施例に限定されるものではなく、本発明の趣旨に基づき種々の変形が可能であり、これらを本発明の範囲から排除するものではない。
【産業上の利用可能性】
【００２１】
本発明の照光式押ボタンスイッチは、ボタンの照光面をムラなく均一に照光するとともにスポット照光を改善することができる照光式押ボタンスイッチとして利用可能である。
【符号の説明】
【００２２】
１    ボタン
１ａ  照光面
１ｂ  嵌合孔
２    凹レンズ
２ａ  凹面部
３    プランジャ
３ａ  傾斜面
３ｂ  貫通孔
３ｃ  嵌合凸部
３ｄ  嵌合爪
４    スイッチ本体
４ａ  発光素子
４ｂ  鍔部
５    スペーサ
６    丸ナット
【図１】
2012248488.tif 000003
【図２】
2012248488.tif 000004
【図３】
2012248488.tif 000005
【図４】
2012248488.tif 000006
【図５】
2012248488.tif 000007